Podtech/llm-jp-corpus-v4-ja_patent huggingface dataset:
【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
遊技者による遊技の結果に応じて所定情報を出力する遊技機と、前記遊技機が出力した前記所定情報に基づいて遊技者による前記遊技機の遊技履歴を管理する管理装置と、を備える遊技システムであって、
前記遊技の結果に応じた特定情報を遊技者に付与する特定情報付与手段を備え、
前記管理装置は、遊技者に付与された前記特定情報に応じて、当該遊技者に特典を付与する特典付与手段を備え、
前記遊技機は、可変表示を行い、遊技者にとって有利な有利状態に制御可能な遊技機であって、
前記有利状態に制御される可能性を予告する予告演出を実行可能な予告演出実行手段を備え、
前記特定情報付与手段は、前記予告演出の実行と可変表示の終了とを契機として前記特定情報を付与可能である、
ことを特徴とする遊技システム。
【請求項２】
可変表示を行い、遊技者にとって有利な有利状態に制御可能な遊技機であって、
前記有利状態に制御される可能性を予告する予告演出を実行可能な予告演出実行手段と、
前記予告演出の実行と可変表示の終了とを契機として、前記遊技機の遊技履歴を管理する管理装置が遊技者に特典を付与するために使用される特定情報を付与可能な特定情報付与手段と、を備える、
ことを特徴とする遊技機。
【手続補正２】
【補正対象書類名】明細書
【補正対象項目名】０００５
【補正方法】変更
【補正の内容】
【０００５】
しかし、特許文献１の遊技システムでは、特定情報の付与について改善の余地があった。
【手続補正３】
【補正対象書類名】明細書
【補正対象項目名】０００６
【補正方法】変更
【補正の内容】
【０００６】
本発明は、特定情報の付与について改善した遊技システム及び遊技機を提供することを目的とする。
【手続補正４】
【補正対象書類名】明細書
【補正対象項目名】０００７
【補正方法】変更
【補正の内容】
【０００７】
（Ａ）上記目的を達成するため、本発明に係る遊技システムは、
遊技者による遊技の結果（例えば、可変表示回数、大当り回数、獲得ポイントなど）に応じて所定情報（例えば、二次元コードなど）を出力する遊技機（例えば、パチンコ遊技機１など）と、前記遊技機が出力した前記所定情報に基づいて遊技者による前記遊技機の遊技履歴（例えば、可変表示回数、大当り回数、獲得ポイントなど）を管理する管理装置（例えば、管理サーバ１０００）と、を備える遊技システム（例えば、遊技システム９００など）であって、
前記遊技の結果に応じた特定情報（例えば、遊技（獲得）ポイントなど）を遊技者に付与する特定情報付与手段（例えば、ステップＳ５３５などを実行する演出制御用ＣＰＵ１２０など）を備え、
前記管理装置は、遊技者に付与された前記特定情報に応じて、当該遊技者に特典を付与する特典付与手段（例えば、ステップＳＣ３１からＳＣ３４などを実行する制御部２１０など）を備え、
前記遊技機は、可変表示（例えば、特別図柄や飾り図柄の可変表示など）を行い、遊技者にとって有利な有利状態（例えば、大当り遊技状態など）に制御可能な遊技機であって、
前記有利状態に制御される可能性を予告する予告演出を実行可能な予告演出実行手段（例えば、ステップＳ１６１、Ｓ１７２などの処理を行う演出制御用ＣＰＵ１２０など）を備え、
前記特定情報付与手段は、前記予告演出の実行と可変表示の終了とを契機として前記特定情報を付与可能である（例えば、演出制御用ＣＰＵ１２０が実行するステップＳ１７２の処理などにおいて、先読み演出が実行されるとメータカウンタのカウント値が貯まり（ステップＳ５２５、Ｓ５２７など）、図柄確定コマンドを受信したときにメータカウンタのカウント値が上限値になっていると遊技（獲得）ポイントを付与するかの決定が行われ（ステップＳ５３０、Ｓ５３３など）、ポイントが付与される（ステップＳ５３５など）。）、
ことを特徴とする。
（Ｂ）上記目的を達成するため、本発明に係る遊技機は、
可変表示（例えば、特別図柄や飾り図柄の可変表示など）を行い、遊技者にとって有利な有利状態（例えば、大当り遊技状態など）に制御可能な遊技機（例えば、パチンコ遊技機１など）であって、
前記有利状態に制御される可能性を予告する予告演出を実行可能な予告演出実行手段（例えば、ステップＳ１６１、Ｓ１７２などの処理を行う演出制御用ＣＰＵ１２０など）と、
前記予告演出の実行と可変表示の終了とを契機として、前記遊技機の遊技履歴を管理する管理装置が遊技者に特典を付与するために使用される特定情報（例えば、遊技（獲得）ポイントなど）を付与可能な特定情報付与手段（例えば、演出制御用ＣＰＵ１２０が実行するステップＳ１７２の処理などにおいて、先読み演出が実行されるとメータカウンタのカウント値が貯まり（ステップＳ５２５、Ｓ５２７など）、図柄確定コマンドを受信したときにメータカウンタのカウント値が上限値になっていると遊技（獲得）ポイントを付与するかの決定が行われ（ステップＳ５３０、Ｓ５３３など）、ポイントが付与される（ステップＳ５３５など）。）と、を備える、
ことを特徴とする。
【手続補正５】
【補正対象書類名】明細書
【補正対象項目名】０００８
【補正方法】変更
【補正の内容】
【０００８】
このような構成により、特定情報の付与についての改善がなされる。
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に関する情報を、保留記憶として記憶可能な保留記憶手段と、
前記有利状態に制御されるか否かを判定する判定手段と、
前記判定手段の判定にもとづいて、当該判定手段の判定対象となった保留記憶にもとづく可変表示を行うよりも前に予告演出を実行する予告演出実行手段とを備え、
前記予告演出実行手段は、
前記有利状態以外の状態である場合に、可変表示の実行中であるか否かに応じて異なる割合により前記予告演出を実行し、
さらに、可変表示の実行中であるときには当該可変表示の進行状況に応じて異なる割合により前記予告演出を実行し、
複数種類の態様により前記予告演出を実行可能であるとともに、
複数のタイミングにおいて前記予告演出の態様を変化可能である
ことを特徴とする遊技機。
【手続補正２】
【補正対象書類名】明細書
【補正対象項目名】０００９
【補正方法】変更
【補正の内容】
【０００９】
（手段１）本発明による遊技機は、可変表示を行い、遊技者にとって有利な有利状態（例えば、大当り遊技状態）に制御可能な遊技機であって、可変表示に関する情報（例えば、ランダムＲ（大当り判定用乱数）や、大当り種別判定用乱数（ランダム１）、変動パターン種別判定用乱数（ランダム２）および変動パターン判定用乱数（ランダム３））を、保留記憶として記憶可能な保留記憶手段（例えば、第１保留記憶バッファ、第２保留記憶バッファ）と、有利状態に制御されるか否かを判定する判定手段（例えば、遊技制御用マイクロコンピュータ５６０におけるステップＳ１２１７Ａ，Ｓ１２１７Ｂを実行する部分）と、判定手段の判定にもとづいて、当該判定手段の判定対象となった保留記憶にもとづく可変表示を行うよりも前に予告演出（例えば、保留予告演出）を実行する予告演出実行手段（例えば、演出制御用マイクロコンピュータ１００におけるステップＳ８００Ａを実行する部分）とを備え、予告演出実行手段は、有利状態以外の状態である場合に、可変表示の実行中であるか否かに応じて異なる割合により予告演出を実行し（例えば、演出制御用マイクロコンピュータ１００は、ステップＳ６００２でＮのときにはステップＳ６００４で保留予告決定テーブル１を選択可能であり、ステップＳ６００２でＹのときにはステップＳ６００８、Ｓ６００９で保留予告決定テーブル２，３を選択可能であり、図３８に示すように、保留予告決定テーブル１と保留予告決定テーブル２，３とで保留予告演出ありの判定値の割り振りが異なっている）、さらに、可変表示の実行中であるときには当該可変表示の進行状況に応じて異なる割合により予告演出を実行し（例えば、演出制御用マイクロコンピュータ１００は、ステップＳ６００７でＹのときにはステップＳ６００８で保留予告決定テーブル２を選択可能であり、ステップＳ６００７でＮのときにはステップＳ６００９で保留予告決定テーブル３を選択可能であり、図３８に示すように、保留予告決定テーブル２と保留予告決定テーブル３とで保留予告演出ありの判定値に割り振りが異なっている）、複数種類の態様により予告演出を実行可能であるとともに、複数のタイミングにおいて予告演出の態様を変化可能であることを特徴とする。そのような構成によれば、予告演出が実行されるときに実行中の可変表示に対しても遊技者に興味をもたせることができ、予告演出を用いた遊技の興趣を向上させることができる。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
複数種類のモード演出のうちいずれかのモード演出を実行するモード演出実行手段と、
所定演出を所定回実行可能な所定演出実行手段と、
前記所定演出が実行されることを示唆する示唆演出を実行する示唆演出実行手段と
を備え、
前記モード演出実行手段は、前記モード演出として、第１モード演出と第２モード演出とを実行可能であり、
前記所定演出が実行される前に前記第１モード演出が実行されていた場合には前記第２モード演出が実行されていた場合よりも、前記所定演出が実行されたときの前記有利状態となる期待度が高く、
前記第１モード演出が実行されている場合には、前記第２モード演出が実行されている場合よりも、前記示唆演出が実行され易い
ことを特徴とする遊技機。
【請求項２】
遊技者にとって有利な有利状態に制御可能な遊技機であって、
複数種類のモード演出のうちいずれかのモード演出を実行するモード演出実行手段と、
可変表示を仮停止させた後に可変表示を再度実行する再可変表示を所定回実行可能な再可変表示演出を実行する再可変表示演出実行手段と、
前記再可変表示演出が実行されることを示唆する示唆演出を実行する示唆演出実行手段と
を備え、
前記モード演出実行手段は、前記モード演出として、第１モード演出と第２モード演出とを実行可能であり、
前記再可変表示演出が実行される前に前記第１モード演出が実行されていた場合には前記第２モード演出が実行されていた場合よりも、前記再可変表示演出が実行されたときの前記有利状態となる期待度が高く、
前記第１モード演出が実行されている場合には、前記第２モード演出が実行されている場合よりも、前記示唆演出が実行され易い
ことを特徴とする遊技機。
【手続補正２】
【補正対象書類名】明細書
【補正対象項目名】０００５
【補正方法】変更
【補正の内容】
【０００５】
上記目的を達成するため、本発明の遊技機は、（１）遊技者にとって有利な有利状態（例えば、大当り遊技状態等）に制御可能な遊技機（例えば、パチンコ遊技機１等）であって、複数種類のモード演出（例えば、モード演出１やモード演出２等）のうちいずれかのモード演出を実行するモード演出実行手段（例えば、ステップＳ７０８の処理にて設定したモード演出制御パターンに従った演出を実行する演出制御用ＣＰＵ１２０等）と、所定演出を所定回実行可能な所定演出実行手段（例えば、ステップＳ７０９の処理にて設定した擬似連モード演出制御パターンに従った演出を実行する演出制御用ＣＰＵ１２０等）と、前記所定演出が実行されることを示唆する示唆演出を実行する示唆演出実行手段（例えば、ステップＳ７１０の処理にて設定した煽り演出制御パターンに従った演出を実行する演出制御用ＣＰＵ１２０等）とを備え、前記モード演出実行手段は、前記モード演出として、第１モード演出と第２モード演出とを実行可能であり、前記所定演出が実行される前に前記第１モード演出が実行されていた場合には前記第２モード演出が実行されていた場合よりも、前記所定演出が実行されたときの前記有利状態となる期待度が高く（例えば、図２６に示す擬似連モード演出実行判定テーブルの設定によっては、現在のモード演出がモード演出２である場合よりも、現在のモード演出がモード演出１である方が、擬似連モード演出が実行されたときの特別図柄の可変表示結果が「大当り」となる期待度が高くなること等）、前記第１モード演出が実行されている場合には、前記第２モード演出が実行されている場合よりも、前記示唆演出が実行され易い（例えば、図２８に示す煽り演出実行判定テーブルの設定によっては、現在のモード演出が「モード演出２」である場合よりも、現在のモード演出が「モード演出１」である方が、煽り演出を実行する旨の判定が高い割合で成されること等）ことを特徴とする。また、遊技者にとって有利な有利状態に制御可能な遊技機であって、複数種類のモード演出のうちいずれかのモード演出を実行するモード演出実行手段と、可変表示を仮停止させた後に可変表示を再度実行する再可変表示を所定回実行可能な再可変表示演出を実行する再可変表示演出実行手段と、前記再可変表示演出が実行されることを示唆する示唆演出を実行する示唆演出実行手段とを備え、前記モード演出実行手段は、前記モード演出として、第１モード演出と第２モード演出とを実行可能であり、前記再可変表示演出が実行される前に前記第１モード演出が実行されていた場合には前記第２モード演出が実行されていた場合よりも、前記再可変表示演出が実行されたときの前記有利状態となる期待度が高く、前記第１モード演出が実行されている場合には、前記第２モード演出が実行されている場合よりも、前記示唆演出が実行され易いことを特徴とする。
【手続補正書】
【提出日】平成29年6月13日(2017.6.13)
【手続補正１】
【補正対象書類名】明細書
【補正対象項目名】０００３
【補正方法】削除
【補正の内容】
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明は、上記のコネクタの技術分野に関連してなされたものであり、輸液の安全性を高め、所望の流体を良好に供給することができるコネクタを提供することを目的とする。
【手続補正７】
【補正対象書類名】明細書
【補正対象項目名】００１０
【補正方法】変更
【補正の内容】
【００１０】
前記の目的を達成するために、本発明は、上部側に開口部を有し、側周面に第１ポート及び第２ポートが連結された有底筒状のコネクタ基部と、前記コネクタ基部の前記開口部を閉塞可能に前記コネクタ基部に取り付けられ、第３ポートが設けられた蓋体と、前記コネクタ基部内で前記第１ポートから前記第２ポートに連通する流路と、を備え、前記蓋体は、円筒状の内部筺体と、前記内部筺体の外周面及び上面を覆うようにして前記コネクタ基部の上部側に取り付けられた円筒状の外部筺体と、弾性材料により成形され、その周縁部が前記外部筺体と前記内部筺体に挟み込まれることで前記蓋体の上部に保持され、前記流路に連なる接続側空間を前記内部筺体と共に区画する弁体と、を備えることを特徴とする。
【手続補正８】
【補正対象書類名】明細書
【補正対象項目名】００１１
【補正方法】変更
【補正の内容】
【００１１】
また、前記第３ポートは、前記外部筺体と前記内部筺体が径方向に重ねられて所定の厚みを有するように形成されるとよい。
【手続補正９】
【補正対象書類名】明細書
【補正対象項目名】００１２
【補正方法】変更
【補正の内容】
【００１２】
そして、前記外部筺体は、前記コネクタ基部と接続される端部側が外径方向に延出するフランジ部分を有することが好ましい。
【手続補正１０】
【補正対象書類名】明細書
【補正対象項目名】００１３
【補正方法】変更
【補正の内容】
【００１３】
さらに、前記内部筺体は、前記コネクタ基部と接続される端部側が外径方向に延出するフランジ部分を有するとよい。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】変更
【補正の内容】
【００１９】
本発明によれば、コネクタは、輸液の安全性を高め、所望の流体を良好に供給することができる。
【手続補正１７】
【補正対象書類名】特許請求の範囲
【補正対象項目名】全文
【補正方法】変更
【補正の内容】
【特許請求の範囲】
【請求項１】
上部側に開口部を有し、側周面に第１ポート及び第２ポートが連結された有底筒状のコネクタ基部と、
前記コネクタ基部の前記開口部を閉塞可能に前記コネクタ基部に取り付けられ、第３ポートが設けられた蓋体と、
前記コネクタ基部内で前記第１ポートから前記第２ポートに連通する流路と、を備え、
前記蓋体は、
円筒状の内部筺体と、
前記内部筺体の外周面及び上面を覆うようにして前記コネクタ基部の上部側に取り付けられた円筒状の外部筺体と、
弾性材料により成形され、その周縁部が前記外部筺体と前記内部筺体に挟み込まれることで前記蓋体の上部に保持され、前記流路に連なる接続側空間を前記内部筺体と共に区画する弁体と、を備える
ことを特徴とするコネクタ。
【請求項２】
請求項１記載のコネクタにおいて、
前記第３ポートは、前記外部筺体と前記内部筺体が径方向に重ねられて所定の厚みを有するように形成される
ことを特徴とするコネクタ。
【請求項３】
請求項１又は２記載のコネクタにおいて、
前記外部筺体は、前記コネクタ基部と接続される端部側が外径方向に延出するフランジ部分を有する
ことを特徴とするコネクタ。
【請求項４】
請求項１〜３のいずれか１項に記載のコネクタにおいて、
前記内部筺体は、前記コネクタ基部と接続される端部側が外径方向に延出するフランジ部分を有する
ことを特徴とするコネクタ。
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
所定条件の成立により特別遊技を行うか否かを判定する特別遊技判定手段と、
所定の図柄表示部に図柄を変動表示させて、前記特別遊技判定手段による特別遊技の判定結果を示す図柄を停止表示させる図柄表示制御手段と、
前記図柄表示制御手段によって停止表示された図柄が特別遊技を示す図柄である場合に、特別遊技を実行する特別遊技実行手段と、
通常遊技状態と、前記通常遊技状態に比べて前記所定条件が成立しやすい特定遊技状態と、のうちのいずれかの遊技状態で遊技を制御可能な遊技状態制御手段と、
遊技に関する所定の状態を検出する検出手段と、
前記検出手段によって所定の状態が検出された際に、前記遊技状態制御手段によって制御される遊技状態に基づいて、所定の制御を行う制御手段と、
を備えることを特徴とする遊技機。
【請求項２】
前記制御手段は、前記検出手段によって所定の状態が検出された際に、
前記遊技状態制御手段によって第１の遊技状態で制御されている場合に前記所定の制御を行い、前記遊技状態制御手段によって前記第１の遊技状態とは異なる第２の遊技状態で制御されている場合に前記所定の制御を行わない、
ことを特徴とする請求項１に記載の遊技機。
【手続補正２】
【補正対象書類名】明細書
【補正対象項目名】０００７
【補正方法】変更
【補正の内容】
【０００７】
上述した課題を解決し、目的を達成するため、本発明にかかる遊技機は、所定条件の成立により特別遊技を行うか否かを判定する特別遊技判定手段と、所定の図柄表示部に図柄を変動表示させて、前記特別遊技判定手段による特別遊技の判定結果を示す図柄を停止表示させる図柄表示制御手段と、前記図柄表示制御手段によって停止表示された図柄が特別遊技を示す図柄である場合に、特別遊技を実行する特別遊技実行手段と、通常遊技状態と、前記通常遊技状態に比べて前記所定条件が成立しやすい特定遊技状態と、のうちのいずれかの遊技状態で遊技を制御可能な遊技状態制御手段と、遊技に関する所定の状態を検出する検出手段と、前記検出手段によって所定の状態が検出された際に、前記遊技状態制御手段によって制御される遊技状態に基づいて、所定の制御を行う制御手段と、を備えることを特徴とする。また、上記発明において、前記制御手段は、前記検出手段によって所定の状態が検出された際に、前記遊技状態制御手段によって第１の遊技状態で制御されている場合に前記所定の制御を行い、前記遊技状態制御手段によって前記第１の遊技状態とは異なる第２の遊技状態で制御されている場合に前記所定の制御を行わない、ことを特徴とする。
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
美容器具を収納する容器を所定の高さに配置できる美容器具収納スタンドであって、任意の場所に取り付け、及び、取り外しができるものであって、
任意の場所に脱着可能な係止部材と、
前記係止部材に接続し、前記容器を所定の高さに配置する支持部材と、
前記支持部材に接続し、前記容器を水平に保つための容器支持部材と、
前記容器支持部材に固定され、前記容器を係止する環状の容器ホルダーと、
を有する美容器具収納スタンド。
【請求項２】
前記支持部材が、
長さを伸縮させる伸縮部、
を有する請求項１に記載の美容器具収納スタンド。
【請求項３】
前記係止部材は、
美容ワゴンに脱着可能であること、
を特徴とする請求項１又は請求項２に記載の美容器具収納スタンド。
【請求項４】
美容器具を収納する容器であって、環状の容器ホルダーを有する美容器具収納スタンドの前記容器ホルダーに係止されるものであって、
所定の前記美容器具を係止する器具係止部、
を有する容器。
【請求項５】
任意の場所に脱着可能な係止部材と、
前記係止部材に接続し、前記係止部材に対する支持の角度を調節する支持角度調節部を有する支持部材と、
前記支持部材に接続し、容器角度調節部を有する容器支持部材と、
前記容器支持部材に回動可能に固定し、容器を係止する環状の容器ホルダーと、
から構成されることを特徴とする器具収納スタンド。
【請求項６】
容器ホルダーに係止する容器であって、所定の器具を係止する器具係止部を有する第１容器を設けたことを特徴とする請求項５に記載の器具収納スタンド。
【請求項７】
容器ホルダーは環状の外形に沿って配置される照明部であって、下方を照らす照明部を設けたことを特徴とする請求項５に記載の器具収納スタンド。
【請求項８】
容器ホルダーに係止する容器であって、他の部材に引っ掛けることができる取っ手部を有する第２容器を設けたことを特徴とする請求項７に記載の器具収納スタンド。
【請求項９】
前記器具を保持できる器具保持部を有する前記支持部材を設けたことを特徴とする請求項５から８に記載のいずれかの器具収納スタンド。
【請求項１０】
伸縮する伸縮部を有する前記支持部材を設けたことを特徴とする請求項５から９に記載のいずれかの器具収納スタンド。
【請求項１１】
前記支持部材を中心軸として回動する前記容器支持部材を設けたことを特徴とする請求項５から１０に記載のいずれかの器具収納スタンド。
【請求項１２】
前記支持部材に回動可能に固定され、前記容器を係止できる係止用容器ホルダーを設けたことを特徴とする請求項５から１１に記載のいずれかの器具収納スタンド。
【手続補正２】
【補正対象書類名】明細書
【補正対象項目名】００１７
【補正方法】変更
【補正の内容】
【００１７】図４について説明する。
係止部材１から接続器具Ａ１３と接続器具Ｂ１４と接続器具Ｃ１５の器具によって接続され、支持部材４はナットＡ１７によって接続器具Ｄ１８の器具と接続し、自由自在に角度調節ができ、従来の美容ワゴンや店内家具に係止することができる。係止部材保護材１６の材質としてシリコン、ポリウレタン、低反発素材等を用いる事により美容器具収納スタンド全体を安定した係止することができる。
係止部材１として金属製のクリップを用いて自由自在に脱着可能としているが、万力、吸盤構造でも同様の効果を発揮することができ、他の材質としてプラスチックやゴムも利用できる。
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
制御データを受信し、同期して作動する複数のユニットと、
前記複数のユニットを制御するための制御信号を送信する制御手段と、
を備え、
前記制御手段は、
前記制御信号として、
前記複数のユニットの作動内容を規定するためのデータ信号と、
前記複数のユニットが同期して前記データ信号を受信するためのクロック信号と、
前記クロック信号に同期して前記データ信号を受信した前記複数のユニットにおいて前記データ信号に基づいて同期して作動させるためのラッチ信号と、
をシリアル信号で送信し、
前記ラッチ信号については、前記データ信号の受信から所定時間の経過後に送信される
ことを特徴とする遊技機。
【手続補正２】
【補正対象書類名】明細書
【補正対象項目名】０００４
【補正方法】変更
【補正の内容】
【０００４】
ところが、パラレルインターフェースでは、制御に用いるラインの数が多いため制御装置の制御対象となる装置や役物の数が増加すると配線が複雑になるため、もし遊技中に故障した場合には交換等の作業に時間を要して遊技の中断時間が長くなってしまい、遊技者にとって遊技の興趣の低下を招く、という問題があった。
本発明は、こうした問題に鑑みなされたものであり、遊技機内の配線を簡単にして、遊技の興趣の低下を抑制可能な遊技機を提供することを目的とする。
【手続補正３】
【補正対象書類名】明細書
【補正対象項目名】０００６
【補正方法】変更
【補正の内容】
【０００６】
本発明に係る遊技機（１）は、制御データを受信し、同期して作動する複数のユニット（３３０１，３３０４）と、前記複数のユニット（３３０１，３３０４）を制御するための制御信号を送信する制御手段（１５５０）と、を備え、前記制御手段は、前記制御信号として、前記複数のユニットの作動内容を規定するためのデータ信号と、前記複数のユニットが同期して前記データ信号を受信するためのクロック信号と、前記クロック信号に同期して前記データ信号を受信した前記複数のユニットにおいて前記データ信号に基づいて同期して作動させるためのラッチ信号と、をシリアル信号で送信し、前記ラッチ信号については、前記データ信号の受信から所定時間の経過後に送信されることを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
この発明によれば、遊技の興趣の低下を抑制することが可能な遊技機とすることができる。
【手続補正６】
【補正対象書類名】明細書
【補正対象項目名】０４９７
【補正方法】変更
【補正の内容】
【０４９７】
１…遊技機（遊技機）
１５５０…ランプ制御基板（制御手段）
３３０１…回路基板（ユニット）
３３０４…モータ（ユニット）
【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域を有し、その遊技領域を流下する遊技球の流下方向を変化させる複数の障害釘を装備した遊技盤を備えた遊技機において、
遊技球を所定の入賞領域及び前記所定の入賞領域以外へ誘導可能な複数の通路部を含む誘導通路を有し且つ遊技球の誘導を調整不能な誘導手段を設け、
前記誘導手段は、
前記誘導通路により誘導される遊技球を透視可能に前記誘導通路の前面側を覆う透明カバーを有し、
前記透明カバーに、前記誘導通路により誘導される各遊技球の全体を覆い隠す状況が発生しないように且つ前記複数の通路部の前面側に跨るように形成された装飾部を設けたことを特徴とする遊技機。
【手続補正２】
【補正対象書類名】明細書
【補正対象項目名】０００５
【補正方法】変更
【補正の内容】
【０００５】
パチンコ遊技機において、遊技領域に発射された遊技球が調整釘により入賞口に入賞し易くなる又は入賞し難くなるように調整され得ると、遊技球の入賞口への入賞にバラつきが生じ、つまり遊技球が入賞口及び入賞口以外へ安定して誘導されない課題がある。
本発明の目的は、遊技球を所定の入賞領域（例えば、始動口）及び所定の入賞領域以外へ安定して誘導することが可能な遊技機を提供することである。
【手続補正３】
【補正対象書類名】明細書
【補正対象項目名】０００６
【補正方法】変更
【補正の内容】
【０００６】
第１の発明は、遊技球が流下可能な遊技領域(4a)を有し、その遊技領域(4a)を流下する遊技球の流下方向を変化させる複数の障害釘(10)を装備した遊技盤(4) を備えた遊技機(1) において、遊技球を所定の入賞領域(11)及び前記所定の入賞領域(11)以外へ誘導可能な複数の通路部(50e,50f,51)を含む誘導通路(50,51) を有し且つ遊技球の誘導を調整不能な誘導手段(16)を設け、前記誘導手段(16)は、前記誘導通路(50,51) により誘導される遊技球を透視可能に前記誘導通路(50,51) の前面側を覆う透明カバー(61b,62b) を有し、前記透明カバー(61b,62b) に、前記誘導通路(50,51) により誘導される各遊技球の全体を覆い隠す状況が発生しないように且つ前記複数の通路部(50e,50f,51)の前面側に跨るように形成された装飾部(64)を設けたことを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明によれば、遊技領域を流下する遊技球を所定の入賞領域及び所定の入賞領域以外へ安定して誘導することができ、その遊技球の誘導を遊技者が視ることができる。
【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域を流下する遊技球の流下方向を変化させる複数の障害釘を装備した遊技盤と、発射された遊技球を前記遊技領域に導入する発射通路とを備えた遊技機において、
前記遊技領域のうち遊技球が流下可能な前記発射通路から所定位置に到達するまでの領域を、前記障害釘が存在しない第１釘無し領域に構成し、
前記遊技領域のうち前記第１釘無し領域の下流側に隣接する領域を、前記障害釘が存在しない第２釘無し領域に構成するとともに、この第２釘無し領域に、複数の遊技球を所定領域へ誘導可能な側と前記所定領域以外へ誘導可能な側とに振り分ける振分手段を設け、
前記第１釘無し領域に、その第１釘無し領域を流下する遊技球を減速させて前記第２釘無し領域へ案内する案内手段を設けたことを特徴とする遊技機。
【手続補正２】
【補正対象書類名】明細書
【補正対象項目名】０００６
【補正方法】変更
【補正の内容】
【０００６】
第１の発明は、遊技球が流下可能な遊技領域(4a)を流下する遊技球の流下方向を変化させる複数の障害釘(10)を装備した遊技盤(4) と、発射された遊技球を前記遊技領域(4a)に導入する発射通路(8) とを備えた遊技機(1) において、前記遊技領域(4a)のうち遊技球が流下可能な前記発射通路(8) から所定位置(43)に到達するまでの領域を、前記障害釘(10)が存在しない第１釘無し領域(4X1) に構成し、前記遊技領域(4a)のうち前記第１釘無し領域(4X1) の下流側に隣接する領域を、前記障害釘(10)が存在しない第２釘無し領域(4X2) に構成するとともに、この第２釘無し領域(4X2) に、複数の遊技球を所定領域(11)へ誘導可能な側と前記所定領域(11)以外へ誘導可能な側とに振り分ける振分手段(52/53/54)を設け、前記第１釘無し領域(4X1) に、その第１釘無し領域(4X1) を流下する遊技球を減速させて前記第２釘無し領域(4X2) へ案内する案内手段(44a) を設けたことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域を有する遊技機において、
遊技の進行を制御する第１制御手段と、
前記遊技の進行に応じて演出を制御する第２制御手段とを備え、
前記遊技領域外に、前記第１制御手段により制御され現在の遊技の状態を表示するＬＥＤを有する第１状態表示手段を設け、
前記遊技領域に、遊技球が流下しない特定遊技領域を設け、
前記特定遊技領域に、前記第２制御手段により制御され現在の遊技の状態を表示するＬＥＤを有する第２状態表示手段を設け、
前記第１，第２状態表示手段は、前記現在の遊技の状態における共通の遊技状態情報を夫々表示可能に構成されたことを特徴とする遊技機。
【手続補正２】
【補正対象書類名】明細書
【補正対象項目名】０００１
【補正方法】変更
【補正の内容】
【０００１】
本発明は遊技機に関し、特に、現在の遊技の状態を表示する状態表示手段に関する。
【手続補正３】
【補正対象書類名】明細書
【補正対象項目名】０００３
【補正方法】変更
【補正の内容】
【０００３】
ここで、特許文献１の遊技機では、現在の遊技の状態として、特別図柄（変動の有無、及び変動停止状態の判定図柄）、保留されている判定情報の数；保留数等が、遊技盤の遊技領域外に位置する部位に装備された状態表示器に表示される。
【手続補正４】
【補正対象書類名】明細書
【補正対象項目名】０００５
【補正方法】変更
【補正の内容】
【０００５】
本発明の目的は、現在の遊技の状態を夫々表示し、且つ現在の遊技の状態における共通の遊技状態情報を夫々表示可能な第１，第２状態表示手段を備えた遊技機を提供することである。
【手続補正５】
【補正対象書類名】明細書
【補正対象項目名】０００６
【補正方法】変更
【補正の内容】
【０００６】
本発明は、遊技球が流下可能な遊技領域(4a)を有する遊技機(1) において、遊技の進行を制御する第１制御手段(31)と、前記遊技の進行に応じて演出を制御する第２制御手段(33)とを備え、前記遊技領域(4a)外に、前記第１制御手段(31)により制御され現在の遊技の状態を表示するＬＥＤ(25b) を有する第１状態表示手段(25)を設け、前記遊技領域(4a)に、遊技球が流下しない特定遊技領域(4X3a)を設け、前記特定遊技領域(4X3a)に、前記第２制御手段(33)により制御され現在の遊技の状態を表示するＬＥＤ(27b) を有する第２状態表示手段(27)を設け、前記第１，第２状態表示手段(25,27) は、前記現在の遊技の状態における共通の遊技状態情報を夫々表示可能に構成されたことを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明によれば、現在の遊技の状態を夫々表示し、且つ現在の遊技の状態における共通の遊技状態情報を夫々表示可能な第１，第２状態表示手段を備えた遊技機を提供することができる。
【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域を有する遊技機において、
遊技の進行を制御する第１制御手段と、
前記遊技の進行に応じて演出を表示する演出表示手段を制御する第２制御手段とを備え、
前記遊技領域外に、前記第１制御手段により制御され現在の遊技の状態を表示する第１状態表示手段を設け、
前記遊技領域に、遊技球が流下しない特定遊技領域を設け、
前記特定遊技領域に、前記第２制御手段により制御され現在の遊技の状態を表示する第２状態表示手段を前記演出表示手段とは独立に設け、
前記第１，第２状態表示手段は、前記現在の遊技の状態における共通の遊技状態情報を夫々表示可能に構成されたことを特徴とする遊技機。
【手続補正２】
【補正対象書類名】明細書
【補正対象項目名】０００１
【補正方法】変更
【補正の内容】
【０００１】
本発明は遊技機に関し、特に、遊技球が流下可能な遊技領域、及び現在の遊技の状態を表示する状態表示手段に関する。
【手続補正３】
【補正対象書類名】明細書
【補正対象項目名】０００６
【補正方法】変更
【補正の内容】
【０００６】
パチンコ遊技機において、遊技者は、通常、遊技領域内の遊技球や画像表示器に表示された演出を見ながら遊技を行い、そうすると、遊技領域外に配置された状態表示器の視認性が低くなる。つまり、状態表示器を見ることが難しいこと、或いは面倒であること、或いは状態表示器が遊技者の視野に入らないこと、逆に、状態表示器を見たときには、遊技領域内の遊技球や画像表示器に表示された演出を見逃し易いこと、等の課題が生じる。
本発明の目的は、現在の遊技状態を表示する状態表示手段を遊技領域内に配置することができ、その状態表示手段の視認性を高めることができる遊技機を提供することである。
【手続補正４】
【補正対象書類名】明細書
【補正対象項目名】０００７
【補正方法】変更
【補正の内容】
【０００７】
第１の発明は、遊技球が流下可能な遊技領域(4a)を有する遊技機(1) において、遊技の進行を制御する第１制御手段(31)と、前記遊技の進行に応じて演出を表示する演出表示手段(21)を制御する第２制御手段(33)とを備え、前記遊技領域(4a)外に、前記第１制御手段(31)により制御され現在の遊技の状態を表示する第１状態表示手段(35)を設け、前記遊技領域(4a)に、遊技球が流下しない特定遊技領域(4X3a)を設け、前記特定遊技領(4X3a)に、前記第２制御手段(33)により制御され現在の遊技の状態を表示する第２状態表示手段(27)を前記演出表示手段(21)とは独立に設け、前記第１，第２状態表示手段(25,27) は、前記現在の遊技の状態における共通の遊技状態情報を夫々表示可能に構成されたことを特徴とする。
【手続補正５】
【補正対象書類名】明細書
【補正対象項目名】０００８
【補正方法】変更
【補正の内容】
【０００８】
尚、前記遊技領域(4a)に、遊技球を所定領域(11)及び所定領域(11)以外へ誘導可能で且つその遊技球の誘導を調整不能な誘導手段(16)を設け、前記遊技領域(4a)のうち前記誘導手段(16)の下側に隣接する部分に、障害釘(10)が存在しない下部釘無し領域(4X3) を設け、前記下部釘無し領域(4X3) に前記特定遊技領域(4X3a)を設けて前記第２状態表示手段(27)を配置した構成にしてもよい。
【手続補正６】
【補正対象書類名】明細書
【補正対象項目名】０００９
【補正方法】変更
【補正の内容】
【０００９】
尚、前記第２状態表示手段(27)は、３角形状に配列された複数の発光手段(27b) を有する構成にしてもよい。また、前記複数の発光手段(27b) を、３角形状に形成された表示ベース板(27a) に設けた構成にしてもよい。
【手続補正７】
【補正対象書類名】明細書
【補正対象項目名】００１０
【補正方法】変更
【補正の内容】
【００１０】
本発明によれば、現在の遊技状態を表示する状態表示手段を遊技領域内に配置することができ、その状態表示手段の視認性を高めることができる。
【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
遊技機において、
電源遮断時の遊技の状態がバックアップされる第１制御手段と、
前記第１制御手段により制御され、現在の遊技の状態を表示する第１状態表示手段と、
第２制御手段と、
前記第２制御手段により制御され、現在の遊技の状態を表示する第２状態表示手段と、
遊技の進行に応じて遊技演出を表示可能で且つ前記第２状態表示手段とは独立に設けられ且つ前記第２制御手段により制御される液晶表示手段とを備え、
前記第１，第２状態表示手段は、前記現在の遊技の状態における共通の遊技状態情報を夫々表示可能に、且つ前記共通の遊技状態情報を相互に異なる視認態様で表示可能に構成され、
前記第２状態表手段を前記第１状態表示手段よりも前記液晶表示手段に近い位置に配置したことを特徴とする遊技機。
【手続補正２】
【補正対象書類名】明細書
【補正対象項目名】０００１
【補正方法】変更
【補正の内容】
【０００１】
本発明は遊技機に関し、特に、現在の遊技の状態を表示する状態表示手段に関する。
【手続補正３】
【補正対象書類名】明細書
【補正対象項目名】０００７
【補正方法】変更
【補正の内容】
【０００７】
パチンコ遊技機において、通常、現在の遊技の状態を表示する状態表示器は１個しか設けられていないので、その状態表示器の表示から、遊技者が現在の遊技状態を知ることができる表示効果を高めることができない。遊技領域外に配置されている状態表示器では、その視認性も低くなるので、前記課題は顕著になる。
本発明の目的は、状態表示手段の表示から、遊技者が現在の遊技状態を知ることができる表示効果を高めることができる遊技機を提供することである。
【手続補正４】
【補正対象書類名】明細書
【補正対象項目名】０００８
【補正方法】変更
【補正の内容】
【０００８】
第１の発明は、遊技機(1) において、電源遮断時の遊技の状態がバックアップされる第１制御手段(31)と、前記第１制御手段(31)により制御され、現在の遊技の状態を表示する第１状態表示手段(25)と、第２制御手段(33)と、前記第２制御手段(33)により制御され、現在の遊技の状態を表示する第２状態表示手段(27)と、遊技の進行に応じて遊技演出を表示可能で且つ前記第２状態表示手段(27)とは独立に設けられ且つ前記第２制御手段(33)により制御される液晶表示手段(21)とを備え、前記第１，第２状態表示手段(25,27) は、前記現在の遊技の状態における共通の遊技状態情報を夫々表示可能に、且つ前記共通の遊技状態情報を相互に異なる視認態様で表示可能に構成され、前記第２状態表示手段(27)を前記第１状態表示手段(25)よりも前記液晶表示手段(21)に近い位置に配置したことを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明によれば、状態表示手段の表示から、遊技者が現在の遊技状態を知ることができる表示効果を高めることができる。
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
シリンダおよびピストンを有するシリンジアセンブリが着脱自在に装着され、装着された前記シリンジアセンブリを操作することによって前記シリンジアセンブリから被験者へ薬液を注入する薬液注入装置であって、
前記シリンジアセンブリが載せられるシリンジ載置部と、
前記シリンジ載置部の一部を構成し、前記シリンジアセンブリのフランジが載せられるベース部材と、開放位置と閉止位置との間で回動自在に前記ベース部材に支持されたフランジ押え部材と、前記フランジ押え部材を前記閉止位置でロックする係合構造とを有し、前記フランジを全周にわたって包囲することによって前記シリンジアセンブリを固定するクランパと、
前記薬液注入装置の動作を制御する制御部と、
前記シリンジアセンブリが前記シリンジ載置部に載置されたことを検出し、検出信号を前記制御部へ送る第１の検出器と、
前記フランジ押え部材が前記閉止位置でロックされたことを検出し、検出信号を前記制御部へ送る第２の検出器と、
情報を表示する表示部と、
を有し、
前記制御部は、前記第２の検出器のみから前記検出信号を受け取った場合は、前記シリンジアセンブリが前記シリンジ載置部に載置されていない旨を前記表示部に表示させ、前記第１の検出器のみから前記検出信号を受け取った場合は、前記シリンジアセンブリが正常に保持されていない旨を前記表示部に表示させる薬液注入装置。
【請求項２】
前記ベース部材および前記フランジ押え部材は、前記フランジを受け入れる凹部を有する請求項１に記載の薬液注入装置。
【請求項３】
前記第２の検出器は、前記ベース部材に設置された近接センサであり、前記フランジ押え部材には、前記フランジ押え部材が前記閉止位置にあるときに前記近接センサによって検出される被検出物が配置されている請求項１または２に記載の薬液注入装置。
【請求項４】
前記近接センサおよび前記被検出物は、前記フランジ押え部材が前記閉止位置にあるときに前記近接センサと前記被検出物との距離が最小となるように配置されている請求項３に記載の薬液注入装置。
【請求項５】
前記近接センサは、交流磁界を検出媒体として金属を非接触で検出するセンサであり、前記被検出物は、前記近接センサで検出される金属を含んでいる請求項３または４に記載の薬液注入装置。
【請求項６】
前記制御部は、前記第１の検出器によって、前記シリンジアセンブリが前記シリンジ載置部に載置されたことが検出され、かつ、前記第２の検出器によって、前記フランジ押え部材が前記閉止位置でロックされたことが検出されると、前記シリンジアセンブリの装着が完了したことを表す情報を前記表示部に表示させる請求項１から５のいずれか１項に記載の薬液注入装置。
【請求項７】
前記制御部は、前記情報の表示に基づく操作者の所定の操作によって、薬液の注入のための動作を開始する請求項６に記載の薬液注入装置。
【請求項８】
前記ピストンを前進および後退させるピストン駆動機構をさらに有し、
前記シリンジ載置部に載せられたシリンジアセンブリが、薬液が充填されていない空シリンジである場合、前記制御部は、前記第１の検出器によって、前記シリンジアセンブリが前記シリンジ載置部に載置されたことが検出され、かつ、前記第２の検出器によって、前記フランジ押え部材が前記閉止位置でロックされたことが検出されると、前記ピストンが前記シリンダの内部最先端に位置するように前記ピストン駆動機構を動作させる請求項１から７のいずれか１項に記載の薬液注入装置。
【請求項９】
請求項１から８のいずれか１項に記載の薬液注入装置と、
前記薬液注入装置に着脱自在に装着されるシリンジアセンブリと、
を有する薬液注入システム。
【請求項１０】
前記薬液注入装置の第１の検出器は近接センサであり、
前記シリンジアセンブリには、前記シリンジアセンブリが前記薬液注入装置のシリンジ載置部に載せられているときに、前記第１の検出器である近接センサによって検出される被検出物が配置されている請求項９に記載の薬液注入システム。
【請求項１１】
種類の異なる複数の前記シリンジアセンブリを有し、
前記近接センサは、交流磁界を検出媒体として非接触で金属を検出するセンサであり、
前記被検出物は、前記シリンジアセンブリの種類ごとに異なる種類の金属を有している請求項１０に記載の薬液注入システム。
【請求項１２】
前記シリンジアセンブリは、データが記録されたＲＦＩＤチップをさらに有し、
前記薬液注入装置は、前記シリンジアセンブリが前記シリンジ載置部上に載せられた状態で前記ＲＦＩＤチップから前記データを取得するＲＦＩＤリーダをさらに有し、
前記ＲＦＩＤリーダが、前記第１の検出器としても働く請求項９に記載の薬液注入システム。
【請求項１３】
前記シリンジアセンブリは、
薬液が充填された、シリンダおよびピストンを備えたシリンジと、
薬液注入時の前記シリンダの内圧上昇による膨張を抑制するために前記シリンジが挿入される保護カバーと、
を有し、
前記フランジは前記保護カバーに形成されている請求項９から１２のいずれか１項に記
載の薬液注入システム。
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
糖、凝固用アルカリ成分としての水酸化カルシウム及び水を含み、糖及び水酸化カルシウムが水に溶解しているアルカリ性溶液からなり、かつ糖が非還元糖であることを特徴とするこんにゃく製造用のアルカリ凝固剤。
【請求項２】
非還元糖を１質量％〜３０質量％、水酸化カルシウムを０．２５質量％〜６．５質量％含む請求項１に記載のアルカリ凝固剤。
【請求項３】
１２．０〜１２．８のｐＨを有する請求項１または２に記載のアルカリ凝固剤。
【請求項４】
非還元糖がスクロースである請求項１乃至３のいずれか一項に記載のアルカリ凝固剤。
【請求項５】
スクロースがグラニュー糖である請求項４に記載のアルカリ凝固剤。
【請求項６】
無菌ろ過処理されたものである請求項１乃至５のいずれか一項に記載のアルカリ凝固剤。
【請求項７】
こんにゃく糊にアルカリ凝固剤を混合した後に加熱凝固させる工程を有するこんにゃくの製造方法において、
前記アルカリ凝固剤として請求項１乃至５のいずれか一項に記載のアルカリ凝固剤を用いることを特徴とするこんにゃくの製造方法。
【請求項８】
製造されたこんにゃくを封入水とともに包装容器内に封入する工程を更に有する請求項７に記載のこんにゃくの製造方法。
【請求項９】
前記封入水が、糖、凝固用アルカリ成分としての水酸化カルシウム及び水を含み、糖及び水酸化カルシウムが水に溶解しているアルカリ性溶液からなり、かつ糖が非還元糖である請求項８に記載のこんにゃくの製造方法。
【請求項１０】
前記封入水が、非還元糖を１質量％〜３０質量％、水酸化カルシウムを０．２５質量％〜６．５質量％含む請求項９に記載のこんにゃくの製造方法。
【請求項１１】
前記封入水が、１２．０〜１２．８のｐＨを有する請求項９または１０に記載のこんにゃくの製造方法。
【請求項１２】
前記封入水に含まれる非還元糖がスクロースである請求項９乃至１１のいずれか一項に記載のこんにゃくの製造方法。
【請求項１３】
スクロースがグラニュー糖である請求項１２に記載のこんにゃくの製造方法。
【請求項１４】
前記アルカリ凝固剤が無菌ろ過処理されたものであり、無菌的にこんにゃくを製造する請求項７に記載のこんにゃくの製造方法。
【請求項１５】
前記こんにゃく糊として加熱処理により無菌化したこんにゃく糊を用い、前記無菌ろ過処理をされているアルカリ凝固剤と無菌的に混合して、無菌的に包装した後に加熱凝固する工程を更に有する請求項１４に記載のこんにゃくの製造方法。
【請求項１６】
包装用容器内に、こんにゃく及びその加工品の少なくとも１種を、封入水とともに封入してなる包装こんにゃく製品であって、
前記封入水が、糖、凝固用アルカリ成分としての水酸化カルシウム及び水を含み、糖及び水酸化カルシウムが水に溶解しているアルカリ性溶液からなり、かつ糖が非還元糖である
ことを特徴とする包装こんにゃく製品。
【請求項１７】
前記こんにゃくまたはこんにゃく加工品が、従来法のこんにゃくまたはその加工品である請求項１６に記載の包装こんにゃく製品。
【請求項１８】
前記こんにゃくまたはこんにゃく加工品が、請求項１乃至７のいずれか一項に記載されるアルカリ凝固剤を用いて製造されたものである請求項１６に記載の包装こんにゃく製品。
【請求項１９】
前記封入水が、非還元糖を１質量％〜３０質量％、水酸化カルシウムを０．２５質量％〜６．５質量％含む請求項１６乃至１８のいずれか一項に記載の包装こんにゃく製品。
【請求項２０】
前記封入水が、１２．０〜１２．８のｐＨを有する請求項１６乃至１９のいずれか一項に記載の包装こんにゃく製品。
【請求項２１】
前記封入水に含まれる非還元糖がスクロースである請求項１６乃至２０のいずれか一項に記載の包装こんにゃく製品。
【請求項２２】
スクロースがグラニュー糖である請求項２１に記載の包装こんにゃく製品。